(57)【特許請求の範囲】
【請求項１】
トラックを有する再書込可能な形式の情報担体に記録を行う装置であって、前記装置が公称初期位置からずらされた位置から開始する前記トラックの一部に情報ブロックを記録する記録手段を有し、前記情報ブロックが予め決められた態様で情報を表現するような装置において、前記記録手段は前記情報ブロックの連続する再書き込みの間において前記情報の記録の態様を少なくとも前記公称初期位置から前記トラックに沿ってビット長の１００倍以上にわたり延びる領域内でその都度変更し、該記録の態様の変更が前記情報ブロックにおける情報の開始の位置を前記領域にわたって可変的にずらす処理を含むことを特徴とする装置。
【請求項２】
請求項１に記載の装置において、前記記録の態様が、読み出し時において前記情報ブロックから再生することができることを特徴とする装置。
【請求項３】
請求項２に記載の装置において、前記記録の態様がスクランブルキーを用いたスクランブルを含み、該スクランブルキーが前記情報ブロックに含まれていることを特徴とする装置。
【請求項４】
請求項１、２又は３に記載の装置において、前記記録の態様が前記情報ブロックにダミーデータを含めることを含み、該ダミーデータが読み出し時に認識可能であることを特徴とする装置。
【請求項５】
請求項４に記載の装置において、前記記録の態様が前記情報ブロックの情報の前に第１の可変量のダミーデータを、後に第２の可変量のダミーデータを各々含めることを含み、前記第１及び第２の可変量の和が略一定であることを特徴とする装置。
【請求項６】
請求項１、２、３、４又は５に記載の装置において、前記記録の態様が前記情報ブロック内で前記情報をランダムに選択された距離にわたり回転させることを含むことを特徴とする装置。
【請求項７】
請求項６に記載の装置において、前記記録の態様が前記情報ブロックの各々に前記ランダムに選択された距離を含めることを含むことを特徴とする装置。
【請求項８】
トラックを有する再書込可能な形式の情報担体に記録を行う方法であって、情報ブロックは公称初期位置からずらされた位置において前記トラックの一部に記録され、前記情報ブロックが予め決められた態様で情報を表現しているような方法において、前記情報の記録の態様は前記情報ブロックの連続する再書き込みの間において少なくとも前記公称初期位置から前記トラックに沿ってビット長の１００倍以上にわたり延びる領域内でその都度変更され、該記録の態様の変更が前記情報ブロックにおける情報の開始の位置を前記領域にわたって可変的にずらすステップを含むことを特徴とする方法。
【請求項９】
トラックを有する再書込可能な形式の情報担体であって、複数の情報ブロックが前記トラックの公称初期位置からずらされた位置で開始する部分に各々記録されており、各情報ブロックが所定の態様で情報を表しているような情報担体において、前記情報の記録の態様は異なる情報ブロックに対して相違し、該相違が、前記情報ブロックにおける情報の開始の位置が少なくとも前記トラックに沿ってビット長の１００倍以上にわたり延びる領域内で公称初期位置から相違することを含むことを特徴とする情報担体。
【請求項１０】
請求項９に記載の再書込可能な形式の情報担体を読み取る装置であって、前記情報ブロックを読み取り及び復号する読取手段を有するような装置において、前記読取手段は情報の記録の態様が相違する情報ブロックを読み取り、該相違は、少なくとも前記トラックに沿って公称初期位置からビット長の１００倍にわたり延びる領域に影響を及ぼすものであると共に、前記情報ブロックにおける情報の開始の位置が前記公称初期位置から相違することを含み、前記読取手段が前記情報ブロックから前記記録の態様を再生すると共に該情報ブロックを該記録の態様に従って復号する手段を有していることを特徴とする装置。
【発明の詳細な説明】
技術分野
本発明は、再書込可能な型式の情報記録担体に記録する装置であって、上記情報担体がトラックを有し、上記装置が該トラックの一部に初期位置から情報ブロックを記録する記録手段を有し、上記情報ブロックが予め決められた態様で情報を表しているような装置に関する。
本発明は、更に、再書込可能な型式の情報担体に記録する方法であって、該情報担体がトラックを有し、情報ブロックが上記トラックの一部に初期位置から記録され、上記情報ブロックが予め決められた態様で情報を表すような方法にも関する。
又、本発明は上記方法により記録された再書込可能な型式の情報担体にも関する。
更に、本発明は上記方法により記録された再書込可能な型式の情報担体を読み取る装置であって、当該装置が前記情報ブロックを読み取り及び復号する読取手段を有するような装置にも関する。
背景技術
上記のような装置、方法及び情報担体は米国特許第5388105号から既知である。この装置は、相変化材料からなる再書込可能な層を持つ例えばコンパクトディスク・エレイザブル（ＣＤ−Ｅ）のような光学的に再書込可能及び読取可能な型式の情報担体に適している。この従来の情報担体は、予め形成されたトラック、所謂プリグルーブを有している。このプリグルーブは、アドレス情報を有し、記録過程の間に情報を表す光学的に読取可能なパターンをトラックに記録すべく書込ヘッドを位置決めするためのものである。上記情報は複数のブロックに含まれ、これらブロックは上記アドレス情報に従って初期位置からトラックの特定の各部分（所謂セクタ）中に記録される。この場合、上記情報はブロックを形成する光学的に読取可能なパターンにより或る記録の態様で表現される。この表現は、例えば、セクタ識別子（ＩＤ）、同期領域、データブロック並びに誤り検出及び訂正データを含み、情報は特別な符号化の下で上記データブロックに含まれる。上記既知の装置の問題点は、当該情報担体が繰り返し記録されると光学的に読取可能なパターンが所望の形態とは異なり始め、その結果読取品質が劣化してしまう点にある。このことは、情報担体の使用寿命を減少させる。
発明の開示
本発明は、パターンの上記ずれが防止されるような装置を提供することを目的とする。
上記目的を達成するため、本発明による装置は、前記記録手段が前記初期位置を前記トラックに沿って所定の境界内において任意に選択された距離だけかなりずらす及び／又は前記記録の態様を適応化するように構成されていることを特徴としている。又、本発明は、前記パターンのずれがトラックの同一部分に記録されるブロック間の相関関係に強く依存し、同一の又は非常に類似したブロックの記録は劣化を大幅に加速するという認識に基づいている。これらパターン中で使用される最長の書き込みマークの数倍（２〜３倍）のような小さなパターンのずらしで十分であると期待された。驚くべきことに、このような小さなずれ（例えば、３２チャンネルビット程度）では不十分であることが判り、少なくとも１２８ビット程度のかなりのずれによれば十分であることが判った。
前記目的のため、本発明による方法は、前記初期位置が前記トラックに沿って所定の境界内で任意に選択された距離にわたりかなりずらされ及び／又は前記記録の態様が適応化されることを特徴としている。
又、前記目的のため、本発明による情報担体は上記方法に基づいて記録される。
又、前記目的のため、本発明による読取装置は、前記読取手段が、前記情報ブロックを所定の境界内で任意に選択された距離にわたりかなりずらされた位置から読み取り、及び／又は前記情報ブロックを前記適応化された記録の態様に従って復号するように構成されていることを特徴としている。
本発明による上記対策の結果、トラックの何れの部分でも、常に変化するパターンが記録されることになり、これにより劣化の加速が防止される。これの利点は、当該情報担体の使用寿命が延びることにある。この作用効果は、特に、ファイル管理情報を常にトラックの同じ部分に再書き込みするような通常のファイル管理システムに使用される場合に得られる。
本発明による装置の一実施例は、前記記録の態様が、読み出し時において前記情報ブロックから再生することができることを特徴としている。この構成は、読み取られた情報ブロックからの前記情報の再生が、他の部分に記憶された記録の態様に関する情報とは独立したものとなる点にある。
本発明による装置の他の実施例は、前記記録の態様がスクランブルキーを用いたスクランブルを含み、該スクランブルキーが前記情報ブロックに含まれていることを特徴としている。この構成は、同じ場所に記録されるべき情報ブロックの間のどのような相関関係もスクランブルにより低減される点にある。
本発明による装置の更に他の実施例は、前記記録の態様が前記情報ブロック内にダミーデータを含めることを含み、該ダミーデータが読み出し時に認識可能であることを特徴としている。この構成の利点は、可変量のダミーデータを常に追加することにより、情報ブロック中の多分同一のパターンがその都度異なる位置に記録されるであろうという点にある。情報ブロック中の前記情報に先行してダミーデータを追加する結果、古い情報ブロックが大幅に重ね書きされ、無効な部分が読み取り可能のままとならなくなる。
本発明による装置の更に他の実施例は、前記記録の態様が前記情報ブロックの情報の前に第１の可変量のダミーデータを、後に第２の可変量のダミーデータを各々含めることを含み、前記第１及び第２の可変量の和が略一定であることを特徴としている。この構成の利点は、情報ブロックの全長が略一定であるので、固定の位置に記録することが可能である一方、情報内容はランダムに変化する位置に記録される点にある。
本発明による装置の更に他の実施例は、前記記録の態様が前記情報ブロック内で前記情報をランダムに選択された距離にわたり回転させることを含むことを特徴としている。当該情報ブロックの一方の側であふれた情報は他方の側に追加される。この構成の利点は、情報の回転のためにはディスク上に追加のスペースが必要ない点にある。この構成は、情報パターンと一緒にずれ、従って常に同一の場所に位置することにはならないような同期パターンが適用される場合に有利である。
本発明による装置の更に他の実施例は、前記記録の態様が前記情報ブロックの各々においてランダムに選択された距離を含むことを特徴としている。この構成は、情報の前記回転の距離を簡単に導出することができる点で有利である。この構成は、情報と一緒にずれる同期パターンが使用される場合に特に有利である。何故なら、そのような場合には最初の同期パターンの前の及び／又は最後の同期パターンの後の情報の量を、読み出し時に決定することができるからである。
本発明の上記及び他の特徴は以下に述べる実施例の説明から明らかになるであろう。
【図面の簡単な説明】
第１図は、書込可能な型式の情報担体を示す。
第２図は、繰り返し記録に対する初期位置のずれの効果を示すグラフ。
第３図は、上記情報担体に対し記録及び／又は読み取りを行う装置を示す。
第４図は、情報ブロックが記録されるトラックの一部の概念図。
第５図は、適応化手順の概念図。
第６図は、情報ブロック内で回転する情報の概念図。
第７図は、可変量のダミーデータを含む情報ブロックの概念図である。
尚、これらの図において対応する各部には同様の符号が付してある。
発明を実施するための最良の形態
第１ａ図は、再書込可能な型式のディスク状情報担体１を示している。該情報担体は記録のためのトラック９を有し、該トラックは渦巻き状のパターンに配されている。これらトラックは渦巻き状の代わりに同心円状に配すこともできる。トラック９は当該情報担体上にサーボパターンにより示されており、そこでは走査動作中に例えばプリグルーブ４が読取／書込ヘッドによるトラック９の追従を可能にする。上記サーボパターンは、トラッキングサーボ内で周期的に信号を生じさせるような例えば規則的に分割された副パターンを有してもよい。第１ｂ図は情報担体１のｂ−ｂ線に沿う断面を示し、該断面において基板５は再書込可能な記録層６と透明層７とにより被覆されている。プリグルーブ４は突出部として又は周囲とは異なる材料特性として構成することもできる。記録層６には、情報ブロックを記録する装置により光学的に又は磁気光学的に記録することができる。当該情報担体上の情報はマークのパターンにより表される。トラック９内にパターンを形成することにより、各マークは、一定の又は例えば当該マークの長さに依存する可変の書込出力の１個以上の書込パルスにより形成される。書込出力、パルス数、変動及びデューティサイクル等の書込パラメータは、材料特性が大きな役割を果たす情報担体に適合されねばならない。書込可能な情報担体の一例は、相変化材料の層で被覆されたＣＤエレイザブルである。ＣＤの読取及びプリグルーブの使用に関する説明は、ＩＳＢＮ 0-85274-785-3にボウハウス他により著された「光ディスクシステムの原理」に記載されている。
第１ｃ図及び第１ｄ図は、上記プリグルーブの周期的変調（ウォブル）の２つの例を示している。このウォブルは、トラッキングサーボピックアップ中に余分な信号を生じせしめる。このウォブルは、例えば符号化された補助情報を含む補助信号により周波数変調されている。上記補助情報は当該トラックの長さ方向の位置を示すアドレス情報を含んでいる。このような補助情報を含む情報担体についての説明はヨーロッパ特許第0397238号に見ることができる。情報ブロックを書き込むためのトラックの初期位置は、この情報担体上のアドレス情報から導出することができる。
本発明は、トラックに沿う位置が例えば別の基準パターンを介して又は当該情報担体上に予め記録されたパターンを介して異なる態様で決定されるような情報担体にも同様に適用することができる。又、本発明は例えば光テープのような他の構造の再書込可能な情報担体にも適用することができる。これらの情報担体には、例えば補助トラックに沿う情報を介してのように、他の異なる態様でアドレス情報を設けることもできる。
第２図は、繰り返し記録に対する初期位置のずれの影響を示すグラフである。このグラフは、再書込可能な情報担体の特定の部分上に常に同一の情報ブロックが記録される状況を示している。該情報ブロックは異なる長さの光学的に読取可能なマークにより形成され、この場合、長さの差は常に固定長、所謂チャンネルビットの倍数である。読み取られた信号の品質は、例えば読み取られた信号のジッタ又はアイパターンに基づいて、常に評価される。繰り返し記録された場合は、当該情報ブロックのトラックの長さ方向の初期位置は、特定の境界内でランダムな距離だけ常にずれる。Ｘ軸３１に沿う数値は、チャンネルビットにおけるこれら境界の間の距離を示している。Ｙ軸３２に沿っては、トラックの特定の部分が記録された回数が（対数的に）示されている。測定点は、特定の品質の劣化が生じるまで記録することにより見いだされる。既知の再書込可能な記録システムで通常用いられているパルス位置変調（ＰＰＭ）においては、短いマークのみが分散された態様で記録される。しかしながら、高情報密度を可能にするパルス長変調（ＰＬＭ）が用いられる場合は、長いマークがしばしば発生する。高情報密度のＰＬＭの一例は、高密度ＣＤに用いられている国際特許出願第ＰＣＴ／ＩＢ９５／０００７０号に記載のＥＦＭ＋チャンネルコードである。測定は、前記パターンが引き伸ばされた連続的に記録されたマークを有する場合に、増幅された現象が生じることを示している。更に、記録パターンの移動平均が低周波数成分を含む場合に、特に上記現象が発生する。従って、本発明はＰＬＭとの組み合わせで使用するのに特に適している。各測定点を通る曲線３３は、記録がなされる回数と、繰り返される毎に記録パターンが相違する程度との関係を反映している。この現象は、驚くべきことに、再記録をするに使用することができる回数は、同一のパターンが情報担体上の（略）固定された位置上に繰り返し記録されると消滅してしまうことを示している。更に、最大の使用寿命を得るには、初期位置のかなりのずれが必要である。期待に反し、３２チャンネルビット辺りの小さなずれ（最初の測定値３４）では、かなり少ない再書き込み回数しか示さなかった。ＰＬＭにおいて使用されるマークの最長のものの数倍であるような上記ずれは、上記のような長いマークを重なりを十分に超えて分散させる。１情報バイトに対して１７チャンネルビットのパターンを持つＣＤ−Ｅにおける実際の例では、最長のマークは１１チャンネルビットである。２情報バイト、即ち３４チャンネルビットのずれで、十分であると期待された。しかしながら、１００ビット辺りのかなり大きなずれ（１２８ビットにおける２番目の測定値３５）においてのみ、かなりの改善が見られた。１０００チャンネルビット程度のずれ（５番目の測定値３６）を超えると、当該測定情報担体では更なる改善は見られなかった。
第３図は、ディスク状情報担体に対し読取／記録を行うための本発明による装置を示している。この装置は符号化手段５２と、情報担体１上に／から情報ブロックを書き込み及び／又は読み取る読取／書込ユニット５７とを有している。情報は入力端子５１に供給され、符号化手段５２において書込信号に変換される。この場合、該情報は所定の方法により情報ブロックで表される。上記書込信号は読取／書込ユニット５７に供給される。情報担体１は駆動手段５８により駆動されて回転する。読取／書込ユニット５７はビーム５６によりトラック９を走査し、該トラックに前記情報を表すマークのパターンを書き込む。走査動作中、読取／書込ユニット５７は通常の形式の（図示せぬ）サーボ系とによりトラック９上に位置される。システムコントローラ５９は、駆動手段５８と上記サーボ系により情報担体１の走査を制御する。通常、このような装置は、読取／書込ユニット５７を介して読み取られたパターンから前記情報を再生する復号手段５３も有している。かくして、再生された該情報が出力端子５４に発生される。記録専用の装置は復号手段５３及び出力端子５４を含む必要はなく、一方読取専用の装置は符号化手段５２及び入力端子５１を含む必要はない。当該装置は、更に、アドレス情報を再生する復調手段５５を含んでもよい。トラックが走査されている間に発生されるサーボ信号は、該サーボ信号を復調して補助信号を再生するように構成された復調手段５５に供給される。復調手段５５は上記補助信号からアドレス情報を抽出し、該情報はシステムコントローラ５９に受け渡される。
本発明によれば、書込手段５２、５７、５９は前記情報ブロックを、同一のパターンのトラックの特定の領域の同一位置への書き込みが最小となるように、書き込むよう構成される。この目的のための第１の対策は、記録されるべき情報ブロックの初期位置を、システムコントローラ５９が、公称上規定されている初期位置に対して常に或る距離だけずらすことにある。上記距離は任意に選択されるが、所定の境界内にある。何故なら、さもなければトラック上の先行する又は後続する情報ブロックが部分的に重なり合う可能性があるからである。更に、この距離はチャンネル符号化内でみられるパターンの距離と比較すると大きな距離である。各再書込可能な情報担体に対して、上記のようなずれが可能となるようにブロック間には充分な余裕が残されるべきである。このことは、例えば情報ブロックと、例えば標準システム規格に規定される公称初期位置の間の最大の（ピークピーク）ずれとに対して充分なスペースを確保することにより実現される。１０００ビットのずれを一例としてとると、ＥＦＭ＋コード（８／１６データ／チャンネルビット）と２ｋバイトの情報ブロックとＩＤ同期領域等とに対しては約３％の、３２ｋバイトの情報ブロックに対しては約０．２％の情報密度の損失となる。この第１の対策の効果は第４図にも示される。
第２の対策は、情報の表現方法の常時の適応化である。この目的のため、符号化手段５２がこの適応化がなされるように構成され、この場合選択される適応化は常に異なる。表現方法を示す、従って再読み出し時に情報ブロックを復号するために必要なキーは、システムコントローラ５９により発生される。例えば、２５６個の異なるキーを生成するランダムバイトをキーとして使用することができる。他の例として、連続したキーを使用することもできる。この場合、これらキーは繰り返しカウンタとして機能し、このカウンタは上記キーにより当該トラックの或る部がどの程度頻繁に記録されたかを示す。或る最大値に到達すると、当該トラックの上記特定の部分は、読み取り中にエラーが発生する前に、これ以上の使用から阻止される。上記連続したキーを発生するために、これら連続したキーの間のビットの大きな部分が異なるようなシステムを使用することができる。該キーは、当該情報ブロック内か、又は当該情報担体上の他の場所、例えば中心領域等の何れかに記憶される。この点に関しては、上記キーが読み取り中のエラーに対して最大限の保護がなされることが重要である。何故なら、誤ったキーの場合は、情報は最早再生することが不可能となるからである。この目的のため、上記キーは通常の誤り訂正符号で保護することができるが、情報ブロック内の数箇所で繰り返すこともできる。他の例として、上記キーを当該装置内のメモリ（例えば、前記システムコントローラ内）に記憶することもできる。このメモリは永久メモリであってもよく、その場合は当該情報担体は、そのような各装置のみにより読み取ることができる。他の例として、上記メモリの内容を特定の時点で情報担体上に記録することもできる。
記録の態様の適応化には、例えばスクランブルを使用することができる。このような適応化のために、前記書込信号は既知のやり型でビット流（例えばＥＸ−ＯＲ演算により）で処理される。上記ビット流を発生するためは、発生されるビット流が前記キーに依存するような発生回路が利用される。このキーは、情報ブロック内に、例えばＩＤ内に含ませることができる。ＩＤは、前記読取信号から簡単に再生することができることが魅力的である。何故なら、所望の情報ブロックにジャンプされる場合には、ＩＤが前記システムコントローラにより即座に知られるべきであるからである。この目的のため、ＩＤに対しては簡単なスクランブル演算を使用することができる。スクランブルとしては、所謂自己同期型のスクランブル演算を使用することもできる。これは如何なる明示的なキーも必要としないが、スクランブルされた信号の特定数のビットが処理された後、スクランブル解除器は再び同期することになるであろう。キーが各書き込み動作に対して適応化されず、例えばＩＤからの情報から導出されるような情報がスクランブルされる場合は、所望の有効な効果は達成されないことに注意すべきである。
記録の態様を適応化する他の対策は、例えば各記録に対し情報ブロックの開始部にランダムに選択されるが固定のダミーバイトにより満たされた可変長領域を含めることにより、当該情報ブロックに或る量のダミーデータを付加することである。このダミー領域の後には、固定したやり方で認識することができるＩＤ領域が続く。結果として、上記ＩＤ領域は当該情報ブロックの読み取りの間に常に見つけることができ、それでいて依然として全トラックが記録されるので、以前に記録された情報ブロックの古い又は最早有効でない部分は存在しないことになる。他の例として、当該情報ブロックの最後に、可変ダミーデータを備えるような領域を付加することができ、その際、記録されるべき領域の長さ（ダミー領域＋ブロック内容＋ダミー領域）は一定とすることができる。その場合、記録の態様は当該ブロックの情報の前に第１の可変量のダミーデータを、後に第２の可変量のダミーデータを含むことになり、これら第１及び第２の可変量の和が略一定となる。
第７図は、上述したようにダミーデータが含まれる連続した情報ブロックの間の３つの可能性のある状況を概念的に示している。上側の状況では、（長さ方向の）公称位置に情報内容を持つような第１のブロック７１と第２のブロック７２とが示されている。トラックに記録される場合、ブロックは横方向に位置合わせされるので、小さな領域８０において重なり合う。重なり合う領域は、実際のタイミングエラーに起因する小さな不正確な位置決めの場合でもトラックが連続的に記録されるという利点を有している。トラックにおいては、途切れない記録マークがサーボ系及び信号処理の妨害を防止する。第１のブロック７１の情報内容は、太線で示すように、同期マーク７３で終了する。この同期マーク７３の後には、ダミーデータを有する終端連結領域７８が記録７４の物理的な終点まで続く。第２のブロック７２は、物理的始点７５からダミーデータを含む開始連結領域７９で始まり、当該第２のブロックの同期マーク７７と情報内容とが続く。第１のブロックの最後の同期マーク７３と第２のブロックの最初の同期マーク７７との間の領域は、通常、連結フレームと呼ばれる。第２のブロックには前記情報内容の前に他の連結フレームが存在してもよく、これにより読取装置の信号処理を、僅かに異なるパラメータを用いて記録されている可能性のある新たなブロックに調整することができるようにする。連結フレームに先行する同期マークは、連結フレームを示す特別な値を有してもよい。２つの連続する情報ブロックの間の連結フレームは、重なり余裕８０を含み公称長さ７６を有している。真ん中の状況では、位置のずれた情報内容を持つ他の２つの連続したブロック８１、８２が示されている。最初のブロック８１は開始部に大きな量のダミーデータ（図示略）を有し、終端部には相補的に少ない量のダミーデータ８４を有するので、結果として該最初のブロック８１の合計長及び終点は前記上側の状況と同じであるが、実際の情報内容は距離＋Δだけずれている。真ん中の状況での第２のブロック８２は開始部に最小量のダミーデータを有するので、連結フレームは８３は可能な最短の長さを有する一方、この第２のブロックの情報内容は距離−Δだけずれている。下側の状況は、−Δだけずれ、従って終端部に大きな量のダミーデータを有する最初のブロック８５を示している。又、第２のブロック８６は＋Δのずれを有し、結果として最大の連結フレーム８７となっている。最大のずれは、前述したように充分に大きくなくてはならない。実際の例では、同期マークの間のフレームは９１バイトであり得、この場合１バイトはＥＦＭ＋におけるように（前記参照）１６チャンネルビットにより表される。６２バイト（９９２ビット）のずれが、最大のΔ３１となる。連結フレームの終端連結領域７８は４９バイトであり、開始連結領域７９は５０バイトであり、８バイトの重なり合う領域が両情報ブロックの４バイトの位置決めにおけるジッタを許容する。これは、下側の状況では、最大の終端連結領域が４９＋３１＝８０バイト、最大の開始連結領域が５０＋３１＝８１バイト、従って最大の連結フレーム８７が８０＋８１−８＝１５３バイトとなり、これは合計のずれにより増加された公称長さ９１＋６２��１５３に等しくなる。これに対応して、真ん中の状況では、最小の終端連結領域は４９−３１＝１８バイトであり、最小の開始連結領域は５０−３１＝１９バイトであり、結果として最小の連結フレーム８３は１９＋１８−８＝９６−６２＝２９バイトとなる。１５３バイト及び２９バイトのこれら限界は、上述した状況における最悪の場合である。実際のシステムでは何れにせよ、先行するブロックとは異なるレコーダで異なる条件下で記録されている可能性の高い後続する情報ブロックにサーボ及び信号処理電子回路を調整することができるように、１以上の連結フレームが必要となるであろうことに注意されたい。従って、これらのフレームは装置内において読み取り及び記録を準備するのに利用することができる。連結フレームと組み合わせて、ここで述べたようなダミーデータを追加することによる本発明による前記のかなりのずれの適用によれば、如何なる追加のディスク空間も必要ではないので、有利にも記憶容量の損失なしに高情報密度が得られる。
上述した各対策は別個でも又は組み合わせても実施することができる。専らずれを適用する利点は、読取装置が本発明により記録された再書込可能な情報担体の読み取りを行うための特別な対策を要さない点にある。この場合、読み取りは読み取り専用又はライトワンス情報担体を読み取るのと略等しい。このことは、異なる形式の情報担体が用いられるコンピュータ又はマルチメディア用途にとり利点となる。比較的小さな情報ブロックが記録される場合は、前記ずれは情報密度をかなり低下させる。その場合は、例えば、限られたずれをスクランブル演算と組み合わせるのが魅力的である。このスクランブルは、記録されるべき情報ブロックの自己相関を強力に低減する。選択されたチャンネルコードに依存して、例えばＥＦＭ＋チャンネルコードにおける同期パターンのような或るパターンは固定のままである可能性がある。この場合は、限定されたずれ操作で、トラック上の常に異なる位置にこれらパターンを記録するに充分である。限定されたずれを選択することにより、情報担体上で高情報密度を達成することが当然可能となる。
本発明によれば、第３図に示すように読取／書込ユニット５７と復号手段５３とを有する読取手段は、所定範囲内で任意に選択された距離にわたり大幅にずらされた位置から情報ブロック読み取るように、及び／又は適応化された記録の態様に応じで情報ブロックを復号するように構成される。記録の態様を適応化することに関し上述した対策は、上記復号手段においては相補的方法により実施され、一方、第７図を参照して説明したような大幅にずらされた位置及び／又は連結フレームは前記サーボ系及び復号手段５３との組み合わせにおいて上記読取／書込ユニットにより処理される。
第４図は、ずらされた初期位置で情報ブロックが記録される場合のトラックを概念的に（寸法通りではない）示している。公称の初期位置は破線４１、４２及び４３により示されている。これらは、固定相互長４０だけ離れている。更に、ずらすための当該システムは、公称初期位置の間の異なる間隔でのトラックの副分割に適用することができる。記録された情報ブロックには符号４４、４５及び４６が付されている。この場合、第１のブロック４４は公称初期位置で開始し、第２のブロック４５は公称初期位置から特定距離後に開始し、第３ブロックは公称初期位置より前に開始することが判るであろう。従って、これらブロックの間の間隔は可変である。幾つかの記録の後、上記間隔は最後のブロック４７の開始部に示されているように古い情報を部分的に含むであろう。しかしながら、書込可能な情報担体用の既知の記録システムにおいては、情報ブロックの初期位置の変化のためにブロックの間に幾らかの余裕が与えられていることに注意すべきである。この余裕（例えば、１６ビット）は、記録動作が開始される場合に発生する初期位置の機械的及び電気的な許容誤差を補償するために使用することができる。そして、このような余裕は第２図を参照して説明したように、劣化を効果的に防止するには不十分である。
第５図は適応化手順を概念的に示している。この目的のため、２つの対策、即ちスクランブル及びずらし、が組み合わされる。前記システムコントローラ５９は以下のステップを実行する：
Ｓ１：システムコントローラは、情報ブロックを記録する命令を受け、公称初期位置を決定する。
Ｓ２：システムコントローラは、ランダムなキーを発生し、該キーを符号化手段５２に供給して当該符号化手段に該キーを用いてスクランブルするよう指令する。該キー自身は、例えば、当該ブロックにも含まれる。
Ｓ３：システムコントローラは、前記公称初期位置にランダム距離を加算する。
Ｓ４：システムコントローラは、読取／書込ユニット５７をトラック９の所望の領域上に位置決めし、当該読取／書込ユニットの下に上記算出された初期位置が位置されるのを、例えば復調手段５５により読み取られるアドレス情報に基づいて待つ。
Ｓ５：システムコントローラは、書込手段５２、５７に書き込みを指示する。読み取り動作（図示略）も同様の方法により実施され、その場合、前記キーが読取信号から先ず再生され、復号手段５３におけるスクランブル解除手段に供給される。次いで、復号が既知の読取装置におけるように実施される。
第６図は、情報ブロック内での情報の回転を概念的に示している。第１の情報ブロック６１においては、情報は公称位置に置かれる。通常そうであるように、情報ブロック６１はＲＵＮ−ＩＮ部６３で開始し、該ＲＵＮ−ＩＮ部は、前記読取手段がランインするよう、即ちフェーズロックループ（ＰＬＬ）がデータクロックの再生にロックオンするようにランインパターンを含んでいる。当該情報ブロックはＧＵＡＲＤ部６７により閉じ、これにより当該情報担体の未記録部への又は以前に記録されているパターンへの急激な遷移を防止する。ＲＵＮ−ＩＮ６３とＧＵＡＲＤ６７との間には、１以上のデータブロックＤｎと同期パターンＳとを含む情報領域６０が位置している。第６図においては、４つのデータブロックＤ０（６５）、Ｄ１、Ｄ２及びＤ３（６６）が示され、各データブロックには同期パターン６４が先行している。繰り返し記録される場合にデータブロックと同期パターンＳとが常に同一の位置に記録されてしまうのを防止するために、情報領域６０内の情報は、第６図の第２情報ブロック６２に示されるように、記録される毎にランダムな距離ａだけ回転される。回転、他の呼び方ではラップアラウンド、とは情報領域６０内の全ビットを特定の方向にシフトすることを意味すると理解されたい。この場合、上記情報領域の境界を超えてシフトされたビットは当該情報領域の他方の境界の空き空間にシフトされる。６２に示される情報ブロックの例では、データブロックと同期パターンとはａチャンネルビットだけシフトされ、最後のデータブロックＤ３の情報は２つの部分６８、６９に分割される。最後のデータブロックＤ３の第２の部分６９はシフト後に終端側の境界を超えてから終了し、当該情報領域６０の始めの境界の後の最初のデータブロックに追加される。言うまでもなく、上記回転は他の方向にも実施することができ、その際、特にＤ０は２つの部分に分割される。読み取り動作中、読取信号からシフト量ａが導出されるべきであり、情報領域６０の始点及び／又は終点も導出されるべきである。このことは、例えば、前記ＲＵＮ−ＩＮパターン及び／又はＧＵＡＲＤパターン用に特定のフォーマットを選択することにより実施することができる。又、ａの値は前記情報ブロック内に、好ましくは同期パターンに対して所定の相対位置に明示的に含ませることができる。好ましくは、情報ブロックのＲＵＮ−ＩＮ部及び／又はＧＵＡＲＤ部には可変パターンが用いられる。何故なら、さもなければ、これらの部分の品質がデータブロックの部分よりも早く劣化するからである。例えば、ＲＵＮ−ＩＮパターンにａの（可変）値を使用することにより、ＲＵＮ−ＩＮは可変となり、ａは読み出し時に再生することができる。他の例として、同期パターンの位置のみをａだけ変化させ、残りのデータを例えばＲＵＮ−ＩＮ部に含まれるスクランブルキーを用いてスクランブルすることも可能である。シフトされた同期パターンを示すブロックを読み取るために、読取装置は好ましくは最初の同期パターンに先行する信号を記憶するメモリを有し、該メモリの内容は同期が達成された後、復号される。図示された第２の情報ブロック６２においては、復号は、最後のデータブロックＤ３の第１の部分６８の復号に続いて、例えば第１のデータブロックに付加された当該ブロックの部分６９を記憶するメモリから実行される。
前記距離ａを十分に大きく（１０００チャンネルビット程度、第２図参照）選択することにより、同期パターンを伴う情報ブロックの高い再書込可能性が達成される。これは固定の同期パターンを伴わない情報ブロックに関しても成り立ち、その場合、復号の同期は読み出し時に別の態様で実行される。複数の情報ブロックが連続して記録される場合は、例えば、ＲＵＮ−ＩＮ又はＧＵＡＲＤ領域を備えない情報ブロックを使用することも可能である。何れの場合にも、上記のような態様の回転は、情報ブロックを常に同一の位置に記録することができるので、これら情報ブロックの間に追加の空間を要しないという利点がある。
【図１ａ】
0004090501.tif 000002
【図１ｂ】
0004090501.tif 000003
【図１ｃ】
0004090501.tif 000004
【図１ｄ】
0004090501.tif 000005
【図２】
0004090501.tif 000006
【図３】
0004090501.tif 000007
【図４】
0004090501.tif 000008
【図５】
0004090501.tif 000009
【図６】
0004090501.tif 000010
【図７】
0004090501.tif 000011